(57)【要約】【課題】  隣接するキートップの対向面に塗料やインキ等を被着する製造工程が無く、外観品質が高くかつ高効率生産が可能な、複数の光透過型キートップが一つのフレームに一体化した連鎖型キーを製造する方法を提供する。【解決手段】  キートップ１の裏面側から照光して所定の光透過パターン２を照光させる光透過型キートップの製造方法において、光透過性を有する無色または有色の合成樹脂で前記キートップ１の基本形状を確定する中心部材１０を成型する中心部材成型と前記中心部材１０の外周に遮光性を有する合成樹脂で外形部材１１を成型する外形部材成型を二色成型法によって同時に成型する中心外形一体成型プロセスと、前記中心部材１０の天面に前記光透過パターン２を露出させる光透過パターン露出プロセスと、を有する。【選択図】  図１
2012129119.tif 000002
【特許請求の範囲】
【請求項１】
キートップの裏面側から照光して所定の光透過パターンを照光させる光透過型キートップの製造方法において、
光透過性を有する無色または有色の合成樹脂で前記キートップの基本形状を確定する中心部材を成型する中心部材成型と前記中心部材の外周に遮光性を有する合成樹脂で外形部材を成型する外形部材成型を二色成型法によって同時に成型する中心外形一体成型プロセスと、前記中心部材の天面に前記光透過パターンを露出させる光透過パターン露出プロセスと、を有することを特徴とする光透過型キートップの製造方法。
【請求項２】
請求項１に記載の製造方法において、
前記光透過パターン露出プロセスは、前記中心部材の天面に遮光性塗料を前記光透過パターン以外の部位に被着して、前記光透過パターンを露出させることを特徴とする光透過型キートップの製造方法。
【請求項３】
請求項１に記載の製造方法において、
前記光透過パターン露出プロセスは、前記中心部材の天面に遮光性塗料を被着した後に、前記光透過パターンの形状の部位の前記遮光性塗料を除去して前記光透過パターンを露出させることを特徴とする光透過型キートップの製造方法。
【発明の詳細な説明】
【技術分野】
【０００１】
本発明は、電子機器に搭載されるキートップの製造方法に係り、特にキートップの裏面側から光を照光して所定の光透過パターンを照光させる光透過型キートップに関する。
【背景技術】
【０００２】
キートップの裏面側から光を照光して所定の光透過パターンを照光させるタイプのキートップの製造方法として、レーザ加工法と呼ばれる手法が広く採用されている（例えば、特許文献１）。この技術は、キートップの天面に外部から目視することのできる光透過パターンを形成できる。キートップは、アクリル樹脂等の透明な合成樹脂で成型された中心部材と、中心部材の表面に設けられた光透過性を有する有色塗料からなるベース層と、ベース層の表面に一部を除いて設けられた遮光性塗料からなる外形層とからなり、光透過パターンは、外形層内に露出するベース層によって構成されている。
前述の如く構成されたキートップの製造に際しては、まずアクリル樹脂等の透明な合成樹脂で所望形状の中心部材を成型した後、中心部材の表面にベース層を塗装し、さらにベース層上に塗装、印刷等の手段によって外形層を被着する。さらに外形層の一部にレーザ光を照射し、ベース層と外形層におけるレーザ光の吸収率の違いを利用し、上層の外形層を光透過パターンに対応する部分だけレーザ光で除去することで、キートップが製造される。なお、必要に応じてキートップの外側全面には、透明なハードコート層を保護膜として塗装、印刷等の手段で被着する。
しかしながら、特許文献１に記載されているキートップの製造方法は、複数の光透過型キートップが一つのフレームに一体化した連鎖型キーの場合、中心部材の表面にベース層を塗装し、さらにベース層上に塗装、印刷等の手段によって外形層を被着する際に、隣接するキートップの対向面にベース層や外形層の塗料やインキ等を均一に被着することができず、外観不良となり品質低下や低効率生産になるという欠点があった。
【先行技術文献】
【特許文献】
【０００３】
【特許文献１】特許第２６９８１５５号
【発明の概要】
【発明が解決しようとする課題】
【０００４】
そこで、本発明は、隣接するキートップの対向面に塗料やインキ等を被着する製造工程が無く、外観品質が高くかつ高効率生産が可能な、複数の光透過型キートップが一つのフレームに一体化した連鎖型キーを製造する方法を提供することにある。
【課題を解決するための手段】
【０００５】
上述した目的を達成するために、本発明は、キートップの裏面側から照光して所定の光透過パターンを照光させる光透過型キートップの製造方法において、光透過性を有する無色または有色の合成樹脂で前記キートップの基本形状を確定する中心部材を成型する中心部材成型と前記中心部材の外周に遮光性を有する合成樹脂で外形部材を成型する外形部材成型を二色成型法によって同時に成型する中心外形一体成型プロセスと、前記中心部材の天面に前記光透過パターンを露出させる光透過パターン露出プロセスと、を有することを特徴とする。
【発明の効果】
【０００６】
本発明によれば、隣接するキートップの対向面に塗料やインキ等を被着する製造工程が無く、外観品質が高くかつ高効率生産が可能な、複数の光透過型キートップが一つのフレームに一体化した連鎖型キーを製造する方法を提供できる。
【図面の簡単な説明】
【０００７】
【図１】本発明の一実施例における平面図
【図２】本発明の一実施例における断面図
【図３】本発明の第１の実施例における製造工程図
【図４】本発明の第２の実施例における製造工程図
【図５】本発明の実施形態における斜視図
【発明を実施するための形態】
【０００８】
以下、本発明の実施形態について図面を用いて説明する。
【０００９】
図１は本発明の一実施例における平面図、図２はその断面図、図３（ａ）〜（ｃ）は本発明の第１の実施例における製造方法を示す工程図、図４（ａ）〜（ｄ）は本発明の第２の実施例における製造方法を示す工程図、図５は本発明を用いた複数の光透過型キートップが一つのフレームに一体化した連鎖型キーの斜視図である。
【００１０】
図１に示すように、キートップ１の表面には光透過パターン２が形成されており、前記光透過パターン２は前記キートップ１の機能表示例えば、「０」〜「９」の数字や「＊」、「＃」等の記号が表示される。
【００１１】
図２から明らかなように、前記キートップ１は、透明ＡＢＳ樹脂などの光透過性を有する無色または有色の合成樹脂で成型する前記キートップ１の基本形状を確定する中心部材１０と前記中心部材１０の外周にＡＢＳ樹脂などの遮光性を有する例えば黒色の合成樹脂で二色成型法によって同時に成型する外形部材１１と、前記中心部材１０の天面に前記光透過パターン２以外の部位に被着した例えば黒色の遮光性塗料４とからなり、前記光透過パターン２は、黒色の前記遮光性塗料４内に露出する無色または有色の前記中心部材１０によって構成されている。
従って、例えば機能ＯＮ時には、前記キートップ１の下方に配置したＬＥＤ等の光源３が点灯し、この光が前記中心部材１０を透過することを利用して、前記光透過パターン２が照光される。
【００１２】
次に、前述の如く構成された前記キートップ１の製造方法を図３、４とともに説明する。
【００１３】
第１の実施例における製造に際しては、まず図３（ａ）に示すように、透明ＡＢＳ樹脂などの光透過性を有する無色または有色の合成樹脂で前記キートップ１の基本形状を確定する前記中心部材１０を射出成型する中心部材成型と次いで同図（ｂ）に示すように、前記中心部材１０の外周にＡＢＳ樹脂などの遮光性を有する例えば黒色の合成樹脂で前記外形部材１１を射出成型する外形部材成型を二色射出成型法によって同時に射出成型する中心外形一体成型プロセスがある。最後に同図（ｃ）に示すように、前記中心部材１０の天面に例えば黒色の前記遮光性塗料４を前記光透過パターン２以外の部位に塗装、印刷等の手段で被着して、前記光透過パターン２を露出させる光透過パターン露出プロセスがある。なお、必要に応じて前記遮光性塗料４の上面には、透明なハードコート層（図示せず）を保護膜として塗装、印刷等の手段で被着する。前述の工程を経て、図１、２に示した前記キートップ１が製造される。
【００１４】
第２の実施例における製造に際しては、まず図４（ａ）に示すように、透明ＡＢＳ樹脂などの光透過性を有する無色または有色の合成樹脂で前記キートップ１の基本形状を確定する前記中心部材１０を射出成型する中心部材成型と次いで同図（ｂ）に示すように、前記中心部材１０の外周にＡＢＳ樹脂などの遮光性を有する例えば黒色の合成樹脂で前記外形部材１１を射出成型する外形部材成型を二色射出成型法によって同時に射出成型する中心外形一体成型プロセスがある。次に同図（ｃ）に示すように、前記中心部材１０の天面に例えば黒色の前記遮光性塗料４を塗装、印刷等の手段で被着した後に、同図（ｄ）に示すように、前記光透過パターン２の形状の部位の前記遮光性塗料４をレーザ光５で除去して前記光透過パターン２を露出させる光透過パターン露出プロセスがある。なお、必要に応じて前記遮光性塗料４の上面には、透明なハードコート層（図示せず）を保護膜として塗装、印刷等の手段で被着する。前述の工程を経て、図１、２に示した前記キートップ１が製造される。
【００１５】
なお、上記一実施例では、黒色の前記外形部材１１と黒色の前記遮光性塗料４とで構成した場合について説明したが、これら色の組合せは適宜選択可能である。また、前記光透過パターン２の形状や数が上記一実施例に限定されないことはいうまでもない。
【００１６】
図５に示すように、今まで説明した製造方法を用いれば、隣接するキートップの対向面に塗料やインキ等を被着する工程が無く、外観品質が高くかつ高効率生産が可能な、複数の照光式キートップが一つのフレームに一体化した連鎖型キーを製造できる。
以上説明した通り、本発明によれば、隣接するキートップの対向面に塗料やインキ等を被着する製造工程が無く、外観品質が高くかつ高効率生産が可能な、複数の光透過型キートップが一つのフレームに一体化した連鎖型キーを製造する方法を提供できる。
【符号の説明】
【００１７】
１…キートップ、１０…中心部材、１１…外形部材、２…光透過パターン、３…光源、４…遮光性塗料、５…レーザ光
【図１】
2012129119.tif 000003
【図２】
2012129119.tif 000004
【図３】
2012129119.tif 000005
【図４】
2012129119.tif 000006
【図５】
2012129119.tif 000007